(57)【特許請求の範囲】
【請求項１】
電動工具を収納可能な収納部を内設して上面を開口する本体と、その本体と一端縁同士がヒンジ結合され、前記開口の閉塞状態で上側となる外面に副収納部を凹設した蓋体と、その蓋体と一端縁同士がヒンジ結合されて前記副収納部を開閉可能で、他端縁が前記蓋体に係脱可能な外蓋とを備える電動工具用収納ケースであって、
前記本体と蓋体とを軸によってヒンジ結合すると共に、前記外蓋も前記軸によって前記蓋体とヒンジ結合して、
前記蓋体を、前記開口の閉塞状態で前記開口よりも前記外面が上方に位置する箱状とすると共に、前記外蓋に、前記副収納部の閉塞状態で前記蓋体の周面を覆う延設部を延設したことを特徴とする電動工具用収納ケース。
【請求項２】
前記本体に、前記開口の閉塞状態で前記蓋体に係止して前記蓋体をロック可能なラッチを設けると共に、前記ラッチが係止可能な突起を左右に分割して、一方の分割突起を前記蓋体に設け、他方の分割突起を前記外蓋に設けて、前記ラッチにより、前記蓋体と前記外蓋とを同時にロック可能としたことを特徴とする請求項１に記載の電動工具用収納ケース。
【請求項３】
前記本体に、前記開口の閉塞状態で前記蓋体に係止して前記蓋体をロック可能なラッチを設けると共に、前記ラッチが係止可能な突起を上下に分割して、下側の分割突起を前記蓋体に設け、上側の分割突起を前記外蓋に設けて、前記ラッチにより、前記蓋体と前記外蓋とを同時にロック可能としたことを特徴とする請求項１に記載の電動工具用収納ケース。
【請求項４】
前記本体に、前記開口の閉塞状態で前記蓋体に係止して前記蓋体をロック可能なラッチを設ける一方、前記外蓋に、前記開口及び前記副収納部の閉塞状態で前記ラッチが係止可能な被係止部を延設して、前記ラッチにより、前記蓋体と前記外蓋とを同時にロック可能とすると共に、前記外蓋のロック状態では前記ラッチが前記被係止部を外側から覆うことを特徴とする請求項１に記載の電動工具用収納ケース。
【発明の詳細な説明】
【技術分野】
【０００１】
本発明は、インパクトドライバ等の電動工具とその付属品とを収納するための電動工具用収納ケースに関する。
【背景技術】
【０００２】
インパクトドライバ等の電動工具においては、電動工具自体に加えて、交換用のビット（先端工具）や充電式である場合のバッテリーパック及び充電器といった付属品を一纏めにして電動工具用収納ケースに収納し、これらを同時に運搬及び保管できるようにしたものが知られている。この電動工具用収納ケースとして、特許文献１には、電動工具本機等を収納する四角箱状の本体に、同形状の蓋体を一端縁同士でヒンジ結合して他端縁同士に設けたラッチによって結合及びその解除を可能とする一方、蓋体の外面に、ビット等の小物を収納する副収納部を形成すると共に、その副収納部を開閉する外蓋（小蓋）をヒンジ結合したものが開示されている。
【先行技術文献】
【特許文献】
【０００３】
【特許文献１】特開２００７−３１４２２１号公報
【発明の概要】
【発明が解決しようとする課題】
【０００４】
しかし、上記従来の電動工具用収納ケースにおいては、副収納部を開閉する外蓋のヒンジ結合は、外蓋の端縁に薄肉部を介して折り曲げ可能に一体形成されるヒンジ部を、蓋体に凹設した差込部に差し込んで係止させる構造であるため、外蓋の耐久性が低く、開閉の繰り返しによってヒンジ部が疲労して破損するおそれがあった。
【０００５】
そこで、本発明は、外蓋のヒンジ部の寿命を延ばして外蓋の耐久性を向上させることができる電動工具用収納ケースを提供することを目的としたものである。
【課題を解決するための手段】
【０００６】
上記目的を達成するために、請求項１に記載の発明は、本体と蓋体とを軸によってヒンジ結合すると共に、外蓋も当該軸によって蓋体とヒンジ結合して、蓋体を、開口の閉塞状態で開口よりも外面が上方に位置する箱状とすると共に、外蓋に、副収納部の閉塞状態で蓋体の周面を覆う延設部を延設したことを特徴とするものである。
請求項２に記載の発明は、請求項１の構成において、本体に、開口の閉塞状態で蓋体に係止して蓋体をロック可能なラッチを設けると共に、ラッチが係止可能な突起を左右に分割して、一方の分割突起を蓋体に設け、他方の分割突起を外蓋に設けて、ラッチにより、蓋体と外蓋とを同時にロック可能としたことを特徴とするものである。
請求項３に記載の発明は、請求項１の構成において、本体に、開口の閉塞状態で蓋体に係止して蓋体をロック可能なラッチを設けると共に、ラッチが係止可能な突起を上下に分割して、下側の分割突起を蓋体に設け、上側の分割突起を外蓋に設けて、ラッチにより、蓋体と外蓋とを同時にロック可能としたことを特徴とするものである。
請求項４に記載の発明は、請求項１の構成において、本体に、開口の閉塞状態で蓋体に係止して蓋体をロック可能なラッチを設ける一方、外蓋に、開口及び副収納部の閉塞状態でラッチが係止可能な被係止部を延設して、ラッチにより、蓋体と外蓋とを同時にロック可能とすると共に、外蓋のロック状態ではラッチが被係止部を外側から覆うことを特徴とするものである。
【発明の効果】
【０００７】
請求項１に記載の発明によれば、本体と蓋体とをヒンジ結合する軸によって外蓋もヒンジ結合されるので、外蓋のヒンジ部の寿命を延ばして外蓋の耐久性を向上させることができる。
また、副収納部への雨水等の浸入を好適に防止して防水性や防塵性を向上させることができる。
請求項２乃至４に記載の発明によれば、請求項１の効果に加えて、蓋体をロックするラッチによって外蓋もロック可能としたことで、外蓋の開閉を繰り返すことで外蓋の閉塞用の係止部分に摩耗が生じても、外蓋を確実に閉塞することができる。
【図面の簡単な説明】
【０００８】
【図１】電動工具用収納ケースの斜視図（外蓋を開いた状態）である。
【図２】電動工具用収納ケースの平面図である。
【図３】電動工具用収納ケースの正面図である。
【図４】電動工具用収納ケースの左側面図である。
【図５】電動工具用収納ケースのラッチ部分における縦断面図である。
【図６】変更例の電動工具用収納ケースの斜視図である。
【図７】変更例の電動工具用収納ケースの蓋体及び外蓋を開いた状態の斜視図である（分割突起１５Ｂは使用位置）。
【図８】変更例の電動工具用収納ケースの蓋体及び外蓋を開いた状態の斜視図である（分割突起１５Ｂは非使用位置）。
【図９】変更例の電動工具用収納ケースのラッチ部分における縦断面図である（分割突起１５Ｂは使用位置）。
【図１０】変更例の電動工具用収納ケースのラッチ部分における縦断面図である（分割突起１５Ｂは非使用位置）。
【図１１】変更例の電動工具用収納ケースの蓋体及び外蓋を開いた状態の斜視図である。
【図１２】変更例の電動工具用収納ケースのラッチ部分における縦断面図である。
【発明を実施するための形態】
【０００９】
以下、本発明の実施の形態を図面に基づいて説明する。
図１は、電動工具用収納ケース（以下単に「収納ケース」という。）の斜視図で、収納ケース１は、上面が開口する深底で矩形状の本体２と、その本体２と同じ矩形状で下面が開口する浅底の蓋体３とを備えた合成樹脂製で、本体２内には、図示しない充電式インパクトドライバ等の電動工具本機やバッテリーパック、充電器等を収容する収納部４（図５に図示）が形成されている。この本体２の開口際と蓋体３の開口際とには、周面よりも外側へ張り出す帯状の張出部５，６がそれぞれ形成されて、各張出部５，６の後方側（図１の左下側、図２の下側を前方とする。）の端縁には、図２，４に示すように、本体側ヒンジ部７，７・・と蓋体側ヒンジ部８，８・・とがそれぞれ左右方向へ交互に並ぶように突設されている。両ヒンジ部７，８は、交互に貫通する左右方向の軸９によって互いに回転可能に結合されている。
【００１０】
なお、本体２と蓋体３とのそれぞれの張出部５，６は、蓋体３を閉じた状態で全周同士が互いに当接するようになっており、本体２側の張出部５の当接面には、図５に示すように、全周に亘って内側溝１０が凹設される一方、蓋体３側の張出部６の当接面には、内側溝１０よりも外側に位置する外側溝１１が凹設されて、張出部５，６同士の当接状態では、両溝１０，１１の凹凸が互いに噛み合って張出部５，６間をシールするようになっている。
【００１１】
一方、本体２と蓋体３との前端縁同士は、左右一対のラッチ１２，１２によって結合とその解除とが可能となっている。このラッチ１２は、いわゆるパッチン錠と称されるもので、ここでは本体２の開口際に、レバー板１３の上端が回転可能に軸着されて、そのレバー板１３に、フック板１４の下端が回転可能に軸着されている。よって、フック板１４の上端を蓋体３の開口際に設けた突起１５に係止させた状態で、レバー板１３を本体２の前面に沿うように下向きに倒すと、蓋体３が本体２を閉じた状態で結合される。結合の解除は逆にフック板１４の下端を手前に引き起こしてフック板１４の係止を解除することで行われる。
【００１２】
１６は、ラッチ１２，１２の間で本体２に設けられたハンドルで、ロック状態のラッチ１２よりも前方へ突出する左右一対の下突起１７，１７に両端が回転可能に連結されて、ハンドル１６を本体２の前面側へ倒した状態では、下突起１７，１７の前面よりも前方へ突出しないようになっている。下突起１７には、倒したハンドル１６の端部の外側に位置する上下方向の凸条１８がそれぞれ連設されている。
また、蓋体３の前面には、蓋体３を閉じた状態で本体２の下突起１７，１７に連続する左右一対の上突起１９，１９が突設されて、上突起１９，１９の間には、一対の係止突起２０，２０が突設されている。
【００１３】
そして、蓋体３の上面には、ビット等の小物を収容する副収納部２１が、複数のスペースに区画された状態で凹設されており、蓋体３には、その副収納部２１の上面を開閉する外蓋２２が設けられている。この外蓋２２は、副収納部２１を含む蓋体３の上面を覆う矩形状の上板部２３と、その上板部２３の四辺にそれぞれ延設され、張出部６を除いて蓋体３の前後左右の周面を覆う延設部２４，２５・・とからなる矩形の皿状で、前側の延設部２４には、外蓋２２を閉じた状態で蓋体３の上突起１９，１９に嵌合する嵌合部２８，２８が形成され、嵌合部２８，２８の間には、外蓋２２を閉じた状態で蓋体３の係止突起２０，２０に弾性係止する図示しない係止凹部が形成されている。
【００１４】
また、外蓋２２における後側の延設部２５には、本体側ヒンジ部７と蓋体側ヒンジ部８との間に位置する外蓋側ヒンジ部２９，２９・・が突設されている。この外蓋側ヒンジ部２９は、本体２と蓋体３とをヒンジ結合する軸９に貫通されて、軸９を中心に回転可能に軸着されている。これにより本体２と蓋体３と外蓋２２とは、共通する軸９によって同時にヒンジ結合されることになる。
【００１５】
以上の如く構成された収納ケース１においては、蓋体３に対して外蓋２２を閉じた状態では、副収納部２１を含む蓋体３の上面が上板部２３によって覆われると共に、蓋体３の前後左右の周面も延設部２４〜２７によって覆われる。よって、雨水等が上板部２３にかかったりしても、そのまま延設部２４〜２７の外面を伝って下方へ流れ落ちるため、副収納部２１へ雨水が浸入するおそれはない。また、副収納部２１への塵埃等の侵入も生じにくい。
【００１６】
一方、副収納部２１に小物を出し入れするために外蓋２２を開ける際には、嵌合部２８，２８を手で把持する等して外蓋２２の前端縁を上方へ引っ張ると、図１に示すように、軸９を中心に外蓋２２が上方へ回転して副収納部２１を開放することができる。この開放状態では、副収納部２１を含む蓋体３の上面全体が露出されるため、小物の出し入れに外蓋２２が邪魔になることがない。また、外蓋２２も軸９によってヒンジ結合されているため、高い耐久性が得られ、開閉を繰り返しても破損のおそれは少なくなる。
【００１７】
このように、上記形態の収納ケース１によれば、本体２と蓋体３とを軸９によってヒンジ結合すると共に、外蓋２２も同じ軸９によって蓋体３とヒンジ結合したことで、外蓋側ヒンジ部２９の寿命を延ばして外蓋２２の耐久性を向上させることができる。
特にここでは、蓋体３を、本体２の開口の閉塞状態で当該開口よりも外面が上方に位置する箱状とすると共に、外蓋２２に、副収納部２１の閉塞状態で蓋体３の周面を覆う延設部２４〜２７を延設したことで、副収納部２１への雨水等の浸入を好適に防止して防水性や防塵性を向上させることができる。
【００１８】
なお、本体と蓋体と外蓋との各ヒンジ部の形態や数、位置は上記形態に限らず、共通の軸で同時にヒンジ結合可能であれば適宜変更可能である。また、上記形態では一本の軸で３部材をヒンジ結合しているが、３部材を同時にヒンジ結合可能であれば、左右一対の軸に分けてそれぞれの軸で３部材のヒンジ部を軸着してもよい。
さらに、延設部も、上記形態よりも短くしたり、蓋体の全周面でなく例えば前後面等の一部にのみ設けたり、延設部を省略したりしても差し支えない。
【００１９】
そして、本体と蓋体との形状も、矩形状でなく正方形状、台形状等の他の形状としたり、蓋体を箱状とせず板状としたりすることもできる。
また、本体や蓋体の他の構造も上記形態に限らず、ラッチやハンドルの形状及びその数や配置等も適宜変更して差し支えない。
【００２０】
一方、上記形態では、外蓋２２の閉塞を、外蓋２２の裏面に設けた係止凹部を蓋体３の係止突起２０，２０に弾性係止させて行っているが、外蓋２２の開閉を繰り返すと、係止凹部や係止突起２０に摩耗が生じて外蓋２２の閉塞が確実に行えず、不意に外蓋２２が開いてしまうおそれがある。そこで、このようなおそれを解消できる変更例を以下に説明する。
図６，７に示す収納ケース１Ａにおいては、ラッチ１２のフック板１４を係止させる左右の突起１５，１５を、それぞれ正面から見て左右に二分割して、一方の分割突起１５Ａ，１５Ａを蓋体３に設ける一方、他方の分割突起１５Ｂ，１５Ｂを、外蓋２２の延設部２４の前端に設けている。
【００２１】
外蓋２２に設けられる被係止部としての分割突起１５Ｂ，１５Ｂは、延設部２４との前端と薄肉ヒンジ３０によって連結されている。よって、各分割突起１５Ｂは、薄肉ヒンジ３０を中心として、図７に示すように、延設部２４から前方へ突出する使用位置と、図８に示すように、延設部２４の内側に後退して外蓋２２から前方へ突出しない非使用位置との間で回転可能となる。延設部２４の内面には、図９に示すように、分割突起１５Ｂの側面と平行な係止板３１が設けられて、分割突起１５Ｂを非使用位置へ移動させた際には、分割突起１５Ｂの側面に設けた保持突起３３が、係止板３１に設けた係止孔３２へ弾性的に係止して、分割突起１５Ｂが非使用位置で保持されるようになっている。なお、薄肉ヒンジ３０が設けられる延設部２４の下端面には、分割突起１５Ｂとの干渉を回避して非使用位置への回転を許容する傾斜面３４が形成され、蓋体３の前面には、外蓋２２を閉じた際に非使用位置の分割突起１５Ｂと係止板３１との干渉を防ぐ縦溝３５，３５が設けられている。
【００２２】
よって、この変更例においては、分割突起１５Ｂを使用位置へ突出させた状態で、蓋体３と共に外蓋２２を閉じて副収納部２１を閉塞すると、本体２の開口際から前方へ突設されてレバー板１３が軸着される受け台３６上に、蓋体３の分割突起１５Ａと外蓋２２の分割突起１５Ｂとが左右に並んだ状態で載置される。この状態でフック板１４の上端を両分割突起１５Ａ，１５Ｂに跨って係止させてレバー板１３を下向きに倒すと、図９に示すように、蓋体３が本体２の開口を閉塞した状態でロックされると共に、外蓋２２も副収納部２１を閉塞した状態でロックされる。すなわち、ラッチ１２によって蓋体３と外蓋２２とが同時にロックされることになる。
【００２３】
このように、外蓋２２に、本体２の開口及び副収納部２１の閉塞状態でラッチ１２が係止可能な分割突起１５Ｂを延設して、ラッチ１２により、蓋体３と外蓋２２とを同時にロック可能としたことで、外蓋２２の開閉を繰り返して外蓋２２の閉塞用の係止部分である係止凹部や係止突起２０に摩耗が生じても、外蓋２２を確実に閉塞することができる。
但し、分割突起１５Ｂをラッチ１２でロックすると、ラッチ１２を解除しないと外蓋２２を開けることができないため、蓋体３のロックはそのままで外蓋２２のみを単独で開閉したい場合は、図８，１０に示すように、分割突起１５Ｂを非使用位置へ収納しておけばよい。このようにすれば、蓋体３の分割突起１５Ａ，１５Ａのみがラッチ１２でロックされ、外蓋２２は単独で開閉可能となる。使用位置へ戻す際には分割突起１５Ｂを前方へ回転させる方向へ力を加えると、保持突起３３が係止孔３２から外れてそのまま分割突起１５Ｂを前方へ引き出し可能となる。
【００２４】
なお、この変更例において、分割突起１５Ａ，１５Ｂは左右同じ形状とする必要はなく、例えば外蓋２２側の分割突起１５Ｂを蓋体３側の分割突起１５Ａよりも左右幅を小さくする等したりしても差し支えない。また、二分割に限らず、例えば一方の分割突起を間隔をおいて一対設け、他方の分割突起を一方の分割突起の間に嵌合させることもできる。さらに、蓋体３をロックした状態での外蓋２２の単独開閉が不要であれば、分割突起１５Ｂを回転可能に設けずに延設部２４からの突出状態のままで形成してもよい。
【００２５】
一方、突起１５を左右に二分割する場合に限らず、図１１に示す収納ケース１Ｂのように、突起１５を上下に二分割して、一方の分割突起１５Ａ，１５Ａを蓋体３に設ける一方、被係止部となる他方の分割突起１５Ｂ，１５Ｂを外蓋２２の延設部２４の前端に設けるようにしてもよい。この場合、蓋体３と外蓋２２とを閉じると、受け台３６上に、蓋体３の分割突起１５Ａと外蓋２２の分割突起１５Ｂとが上下に並んで突起１５が形成される。この状態でフック板１４の上端を上側の分割突起１５Ｂに係止させてレバー板１３を下向きに倒すと、図１２に示すように、蓋体３と外蓋２２とがそれぞれ閉じた状態でラッチ１２によって同時にロックされる。
なお、上記各変更例では、蓋体側の突起を二分割して外蓋側の被係止部を形成するようにしているが、ラッチの形状等によっては、蓋体側の突起をそのままにして外蓋側にラッチが係止可能な被係止部を突起に沿って延設したりしてもよい。
【符号の説明】
【００２６】
１，１Ａ，１Ｂ・・電動工具用収納ケース、２・・本体、３・・蓋体、４・・収納部、７・・本体側ヒンジ部、８・・蓋体側ヒンジ部、９・・軸、１２・・ラッチ、１５・・突起、１５Ａ，１５Ｂ・・分割突起、１６・・ハンドル、２１・・副収納部、２２・・外蓋、２３・・上板部、２４〜２７・・延設部、２９・・外蓋側ヒンジ部、３０・・薄肉ヒンジ、３１・・係止板、３２・・係止孔、３３・・保持突起、３６・・受け台。
【図１】
0005739266.tif 000002
【図２】
0005739266.tif 000003
【図３】
0005739266.tif 000004
【図４】
0005739266.tif 000005
【図５】
0005739266.tif 000006
【図６】
0005739266.tif 000007
【図７】
0005739266.tif 000008
【図８】
0005739266.tif 000009
【図９】
0005739266.tif 000010
【図１０】
0005739266.tif 000011
【図１１】
0005739266.tif 000012
【図１２】
0005739266.tif 000013